(57)【特許請求の範囲】
【請求項１】
前面及び背面を有している基材と、
前記前面と向き合い、或る波長の光を透過させる光学機能層と、
前記基材と前記光学機能層との間に介在し、前記波長の光を透過させるか又は反射させるスクラッチ層と、
前記光学機能層と前記スクラッチ層との間に介在しているか、又は、前記光学機能層を間に挟んで前記スクラッチ層と向き合っており、前記波長の光を吸収する光吸収パターンと
を備え、前面を或る方向に引掻いた場合に、前記スクラッチ層よりも前方に位置した部分が、前記方向に沿って裂けながら、前記スクラッチ層の一部を伴って前記基材から剥離するように構成されたラベル。
【請求項２】
前記光吸収パターンは前記光学機能層と同じ色を呈している請求項１に記載のラベル。
【請求項３】
前記波長は赤外領域内にあり、前記光学機能層は黒色層である請求項１又は２に記載のラベル。
【請求項４】
前記波長は近赤外領域内にあり、前記光学機能層の前記波長における透過率は３０％以上であり、前記光学機能層は、近赤外領域の７００乃至８００ｎｍの波長域と、近赤外領域の８００乃至１５００ｎｍの波長域でいずれかの波長の透過率差が１０％以上である請求項３に記載のラベル。
【請求項５】
前記スクラッチ層は、樹脂とその中で分散したフィラーとを含み、前記波長の光を反射又は散乱させるように構成された請求項１乃至４の何れか１項に記載のラベル。
【請求項６】
請求項１乃至５の何れか１項に記載のラベルと、前記ラベルの背面と向き合った粘着層とを具備した粘着ラベル。
【請求項７】
請求項１乃至５の何れか１項に記載のラベルと、
前記ラベルの背面と向き合った印刷基材と、
前記ラベルと前記印刷基材との間に介在して、前記ラベルを前記印刷基材に貼り付けた粘着層と
を具備した印刷物。
【発明の詳細な説明】
【技術分野】
【０００１】
本発明は、例えば偽造防止に利用可能なラベル並びにそれを含んだ粘着ラベル及び印刷物に関する。
【背景技術】
【０００２】
近年、偽造品の流通が大きな社会問題となっている。そこで、例えば、物品に、それが真正品であることを確認可能とするラベルを付することがある。そのようなラベル、所謂偽造防止ラベルとしては、例えば、蛍光インキ及びＯＶＩ（optically variable ink）などの機能性インキによって形成した印刷層を含んだラベル、マイクロ印刷及び凹版印刷などの特殊印刷によって形成した印刷層を含んだラベル、ホログラム又は回折格子を含んだラベル、磁気記録によって情報を書き込んだラベル、並びにＩＣ（integrated circuit）タグを含んだラベルがある。
【０００３】
これら偽造防止ラベルの多くは、それ自体の偽造が困難である。但し、偽造防止ラベルの中には、これが貼り付けられた物品から比較的容易に剥がすことができるものがある。そのようなラベルは、使用済みの物品から剥がして偽造品に貼り付けるといった不正行為に使用される可能性がある。
【０００４】
偽造防止ラベルの中には、その再使用を不可能とするための対策を講じたものもある。
【０００５】
例えば、一部の偽造防止ラベルには、切欠きが設けられている。そのような偽造防止ラベルは、これが貼り付けられた物品から引き剥がそうとすると、切欠きの位置から裂けるように設計されている。
【０００６】
また、基材が比較的小さな力で脆性破壊を生じる偽造防止ラベルもある。このようなラベルも、これが貼り付けられた物品から引き剥がそうとすると破壊されるように設計されている。
【０００７】
更に、比較的小さな力で脆性破壊を生じる脆性層を含み、この脆性層とその観察者側の面に隣接した層との接着強度が場所によって異なっている偽造防止ラベルもある。このようなラベルを、これが貼り付けられた物品から引き剥がすと、接着強度の分布に対応したパターンで脆性層が破壊される。その結果、例えば、脆性層等の一部は物品上に文字列「ＶＯＩＤ」に対応したパターンで残り、偽造防止ラベルの脆性層等には、文字列「ＶＯＩＤ」に対応したパターンの欠落部を生じる。
【０００８】
これら偽造防止ラベルは、引き剥がすことによって物品から剥離した場合には、再使用は不可能であるか又は困難である。しかしながら、これら偽造防止ラベルは、粘着層又は接着層に有機溶剤を滲み込ませると、ラベル本体の損傷なしに剥離できることがある。
【０００９】
これを不可能又は困難とするための技術を採用した偽造防止ラベルもある。  
例えば、粘着層の材料として、粘着剤とこれに対して難溶性の添加剤との混合物を使用した偽造防止ラベルがある（例えば、特許文献１参照）。この偽造防止ラベルは、有機溶剤を使用して剥離した場合、粘着剤及び添加剤の有機溶剤に対する溶け易さの相違に起因して、粘着層の表面に凹凸を生じる。
【００１０】
また、印刷層が有機溶剤に可溶な染料を含有した偽造防止ラベルもある（例えば、特許文献２参照）。この偽造防止ラベルは、有機溶剤を使用して剥離しようとすると、染料が印刷層から滲み出る。
【００１１】
なお、このラベルは、ドライヤ等で表面を温めることによって、ラベル本体の損傷や染料の染み出しなしに剥離することができる。加熱による剥離への対策を施した偽造防止ラベルとしては、例えば、加熱によって発泡する発泡粒子を粘着層に含有させた偽造防止ラベルがある（例えば、特許文献３参照）。
【００１２】
これら偽造防止ラベルは、有機溶剤又は熱を利用して剥離した場合には、再使用が不可能であるか又は困難である。但し、使用期間を終えた物品については、偽造防止ラベルが、これが貼り付けられた物品の表層とともに除去される可能性を考慮しなければならない。上述した対策では、このようにして除去した偽造防止ラベルの再使用を防ぐことはできない。
【先行技術文献】
【特許文献】
【００１３】
【特許文献１】特開２００５―２６６１４７号公報
【特許文献２】特開平１０−２０４３６３号公報
【特許文献３】特開２０００−２９３１０８号公報
【発明の概要】
【発明が解決しようとする課題】
【００１４】
本発明の目的は、物品に付されたラベルが、その物品の使用期間を終了した後に再使用されるのを抑制可能とすることにある。
【課題を解決するための手段】
【００１５】
本発明の第１側面によると、前面及び背面を有している基材と、前記前面と向き合い、或る波長の光を透過させる光学機能層と、前記基材と前記光学機能層との間に介在し、前記波長の光を透過させるか又は反射させるスクラッチ層と、前記光学機能層と前記スクラッチ層との間に介在しているか、又は、前記光学機能層を間に挟んで前記スクラッチ層と向き合っており、前記波長の光を吸収する光吸収パターンとを備え、前面を或る方向に引掻いた場合に、前記スクラッチ層よりも前方に位置した部分が、前記方向に沿って裂けながら、前記スクラッチ層の一部を伴って前記基材から剥離するように構成されたラベルが提供される。
【００１６】
本発明の第２側面によると、前記光吸収パターンは前記光学機能層と同じ色を呈している第１側面に係るラベルが提供される。
【００１７】
本発明の第３側面によると、前記波長は赤外領域内にあり、前記光学機能層は黒色層である第１又は第２側面に係るラベルが提供される。
【００１８】
本発明の第４側面によると、前記波長は近赤外領域内にあり、前記光学機能層の前記波長における透過率が３０％以上であり、前記光学機能層は、近赤外領域の７００乃至８００ｎｍの波長域と、近赤外領域の８００乃至１５００ｎｍの波長域でいずれかの波長の透過率差が１０％以上である第３側面に係るラベルが提供される。
【００１９】
本発明の第５側面によると、前記スクラッチ層は、樹脂とその中で分散したフィラーとを含み、前記波長の光を反射又は散乱させるように構成された第１乃至第４側面の何れか１つに係るラベルが提供される。
【００２０】
本発明の第６側面によると、第１乃至第５側面の何れか１つに係るラベルと、前記ラベルの背面と向き合った粘着層とを具備した粘着ラベルが提供される。
【００２１】
本発明の第７側面によると、第１乃至第５側面の何れか１つに係るラベルと、前記ラベルの背面と向き合った印刷基材と、前記ラベルと前記印刷基材との間に介在して、前記ラベルを前記印刷基材に貼り付けた粘着層とを具備した印刷物が提供される。
【発明の効果】
【００２２】
本発明によると、物品に貼り付けられたラベルが、その物品の使用期間を終了した後に再使用されるのを抑制することが可能となる。
【００２３】
第１側面に係るラベルは、例えば、スクラッチ層及び基材からなる積層体の上記波長（以下、「第１波長」という）における反射率が、光吸収パターンの第１波長における反射率と比較してより大きい場合、その前面を第１波長の光で照明すると、光吸収パターンに対応した領域が暗く、他の領域が明るい第１画像を表示する。このラベルの前面を或る方向に引掻く無効化処理を行うと、スクラッチ層よりも前方に位置した部分は、先の方向に沿って裂けながら、スクラッチ層の一部を伴って基材から剥離する。剥離を生じているか否かは、通常、肉眼による観察によって判別できる。また、剥離を生じた部分では、上記波長（以下、「第１波長」という）における反射率が変化する。例えば、光吸収パターンに対応した部分では、剥離を生じることにより反射率が大きくなる。そして、その他の部分では、例えば、剥離を生じることにより反射率が小さくなる。それ故、無効化処理後のラベルは、第１波長の光で照明した場合に、第１画像とは剥離部の明るさが異なる第２画像を表示する。それ故、例えば、このラベルを貼り付けた物品がその使用期間を終了したときに、ラベルの前面を引掻く無効化処理を行うこととすれば、真正品であるかが不明の物品に貼り付けられたラベルを肉眼で観察すること、又は、このラベルが第１波長の光で照明した場合に表示する画像と、無効化処理前のラベルが第１波長の光で照明した場合に表示する画像とを比較することによって、先の物品の真偽を判定することができる。従って、不正行為を行う者を牽制することができ、それ故、物品に貼り付けられたラベルが、その物品の使用期間を終了した後に再使用されるのを抑制することができる。
【００２４】
第２側面に係るラベルでは、光吸収パターンは光学機能層と同じ色を呈している。それ故、光吸収パターンの存在を悟られ難い。従って、このラベルを利用して真偽判定を行っていることは、不正行為を行う者に悟られ難い。
【００２５】
第３側面に係るラベルでは、第１波長は赤外領域内にあり、光学機能層は黒色層である。なお、ここで「黒色」とは、正反射光の強度を測定したときに、波長が４００ｎｍ乃至７００ｎｍの範囲内にある全ての光成分について、反射率が１０％以下であることを意味している。
【００２６】
この構成を採用した場合、光吸収パターンが黒色であるか又は光学機能層の後方に位置しているときには、光吸収パターンの存在を悟られ難くすることができる。即ち、このラベルを利用して真偽判定を行っていることを、不正行為を行う者に悟られ難くすることができる。
【００２７】
第４側面に係るラベルは、第３側面に係るラベルのうち、第１波長が近赤外領域内にあり、光学機能層の第１波長における透過率が３０％以上であり、前記光学機能層は、近赤外領域の７００乃至８００ｎｍの波長域と、近赤外領域の８００乃至１５００ｎｍの波長域でいずれかの波長の透過率差が１０％以上であるものである。即ち、光学機能層の近赤外領域における透過スペクトルは、第１波長において高い透過率を示すが、多くの波長で低い透過率を示す。従って、ラベルの偽造を試みようとする者にとっては、その設計が不可能であるか又は困難である。
【００２８】
第５側面に係る粘着ラベルは、第１乃至第４側面の何れか１つに係るラベルを含んでいる。粘着ラベルは、先のラベルを物品に貼り付ける場合に利用可能な一形態である。
【００２９】
第６側面に係る印刷物は、第１乃至第４側面の何れか１つに係るラベルを含んでいる。この印刷物は、その使用期間を終了した後にラベルが再使用される可能性が低い。
【図面の簡単な説明】
【００３０】
【図１】本発明の一態様に係るラベルを概略的に示す平面図。
【図２】図１に示すラベルのＩＩ−ＩＩ線に沿った断面図。
【図３】真偽判定に利用可能な画像表示システムの一例を概略的に示す図。
【図４】図１及び図２に示すラベルに記録された情報を、図３に示す画像表示システムによって可視化してなる画像の一例を概略的に示す図。
【図５】図１及び図２に示すラベルの無効化処理法の一例を概略的に示す図。
【図６】図５に示す方法によって無効化したラベルの一例を概略的に示す平面図。
【図７】図５に示す方法によって無効化したラベルに記録された情報を、図３に示す画像表示システムによって可視化してなる画像の一例を概略的に示す図。
【図８】図１及び図２に示すラベルの一変形例を概略的に示す断面図。
【図９】粘着ラベルの一例を概略的に示す断面図。
【図１０】印刷物の一例を概略的に示す断面図。
【発明を実施するための形態】
【００３１】
以下、本発明の態様について、図面を参照しながら詳細に説明する。なお、同様又は類似した機能を発揮する構成要素には全ての図面を通じて同一の参照符号を付し、重複する説明は省略する。
【００３２】
図１は、本発明の一態様に係るラベルを概略的に示す平面図である。図２は、図１に示すラベルのＩＩ−ＩＩ線に沿った断面図である。
【００３３】
図１及び図２に示すラベル１は、基材１１と、スクラッチ層１８と、光学機能層１３と、光吸収パターン１４とを含んでいる。スクラッチ層１８、光学機能層１３及び光吸収パターン１４は、この順で基材１１上に積層されている。ラベル１は、光吸収パターン１４側の面が前面であり、基材１１側の面が背面である。
【００３４】
基材１１は、例えば、樹脂からなるフィルムである。この樹脂としては、ポリエチレンテレフタレート、ポリエチレンナフタレート、ポリプロピレン、ポリカーボネート及びポリエチレンなどのプラスチックを使用することができる。或いは、基材１１としては、上質紙及びコート紙などの紙又はアルミニウム箔などの金属層を使用することができる。基材１１は、単層構造を有していてもよく、多層構造を有していてもよい。
【００３５】
基材１１は、透明であってもよく、不透明であってもよい。また、基材１１は、光反射性又は光散乱性を有していてもよく、光学特性を有していなくてもよい。
【００３６】
スクラッチ層１８は、基材１１の一方の主面上に設けられている。  
スクラッチ層１８は、ラベル１の前面を或る方向に引掻いた場合に、スクラッチ層１８よりも前方に位置した部分が、先の方向に沿って裂けながら、スクラッチ層１８の一部を伴って基材１１から剥離するのを可能とする。
【００３７】
また、スクラッチ層１８と基材１１との積層体は、スクラッチ層１８側から第１波長の光で照明した場合に、光反射層又は光散乱層としての役割を果たす。第１波長におけるスクラッチ層１８の吸収率は、例えば０乃至２０％の範囲内にあり、典型的には３乃至１０％の範囲内にある。そして、先の積層体の第１波長における反射率は、例えば６０乃至９０％の範囲内にあり、典型的には７０乃至８０％の範囲内にある。
【００３８】
ここでは、一例として、第１波長は近赤外線領域にあることとする。ここで、「近赤外線領域」は、７００乃至１５００ｎｍの波長域を意味することとする。
【００３９】
スクラッチ層１８は、基材保護層１８ａと剥離層１８ｂとを含んでいる。  
基材保護層１８ａは、基材１１上に形成されている。基材保護層１８ａは、ラベル１の前面を引掻いた際に、基材１１が損傷するのを抑制する。また、基材保護層１８ａは、剥離層１８ｂの剥離を容易にする。
【００４０】
剥離層１８ｂが第１波長の光に対して光反射層又は光散乱層として機能する場合、基材保護層１８ａは、第１波長の光に対して透明、半透明及び不透明の何れであってもよい。剥離層１８ｂが第１波長の光に対して光反射層又は光散乱層として機能する場合であって、基材保護層１８ａが第１波長に光に対して透明であるときには、ラベル１の前面を引掻いて基材保護層１８ａを露出させ、これを第１波長の光で照明すると、ラベル１は、基材保護層１８ａの露出部でその下地の像を表示する。
【００４１】
基材保護層１８ａは、例えば、硬質樹脂と滑剤とを含んでいる。硬質樹脂は、例えば、紫外線又は電子線硬化型のアクリル樹脂の硬化物である。滑剤としては、例えばシリコーンを使用することができる。基材保護層１８ａは、例えば、紫外線又は電子線硬化型と滑剤とを含んだ組成物からなる塗膜を形成し、この塗膜に紫外線又は電子線を照射することにより得られる。この塗膜は、例えば、塗布法又は印刷法により形成する。この印刷法としては、例えば、オフセット印刷法、グラビア印刷法、スクリーン印刷法、及びフレキソ印刷法が挙げられる。
【００４２】
基材保護層１８ａの厚さは、例えば１乃至１０μｍの範囲内とし、典型的には２乃至５μｍの範囲内とする。基材保護層１８ａは、省略することができる。
【００４３】
剥離層１８ｂは、基材保護層１８ａ上に形成されている。剥離層１８ｂは、ラベル１の前面を引掻いた際に、基材保護層１８ａから剥離する。
【００４４】
剥離層１８ｂは、例えば、樹脂からなる。この樹脂としては、例えば、ゴム系天然樹脂、例えば天然ゴム及び塩酸ゴムなどの天然ゴム誘導体、ポリブタジエン、スチレン−ブタジエン共重合体、アクリロニトリル−ブタジエン共重合体、ポリイソプレン、ポリクロロプレン、アクリル樹脂、塩化ビニル樹脂、又は塩化ビニル−酢酸ビニル共重合体を使用することができる。
【００４５】
剥離層１８ｂを光反射層又は光散乱層として利用する場合は、剥離層１８ｂにフィラーを更に含有させればよい。フィラーとしては、金属材料からなるフィラー、非金属材料からなるフィラー、又はそれらの組み合わせを使用することができる。金属材料からなるフィラーとしては、例えば、アルミニウム粉末及び銅粉末などの金属粉末、黄銅粉末などの合金粉末、又はそれらの組み合わせを使用することができる。非金属材料からなる粉末としては、例えば、炭酸カルシウム、酸化亜鉛、アルミナ、二酸化チタン、シリカ、硫酸バリウム、タルク、カオリン、クレー、カーボンブラック、若しくは樹脂からなる粉末、又はそれらの混合物を使用することができる。剥離層１８ｂに含有させるフィラーは、白色顔料であってもよく、着色顔料であってもよい。また、剥離層１８ｂには、染料を含有させてもよい。ここでは、一例として、剥離層１８ｂは、第１波長の光に対して、光反射層又は光散乱層として機能することとする。
【００４６】
剥離層１８ｂの厚さは、例えば３乃至３０μｍの範囲内とし、典型的には５乃至２０μｍの範囲内とする。
【００４７】
剥離層１８ｂは、例えば、塗布法又は印刷法により形成する。この印刷法としては、例えば、オフセット印刷法、グラビア印刷法、スクリーン印刷法、及びフレキソ印刷法が挙げられる。
【００４８】
剥離層１８ｂは、一定以上の力が加わったときには、容易に除去できるものであることが好ましい。但し、通常の保管環境下やハンドリングの際に、剥離層１８ｂが傷付くことは好ましくない。従って、スクラッチ層１８上には、図示しないスクラッチ保護層を形成してもよい。
【００４９】
スクラッチ保護層は、例えば、樹脂からなる。この樹脂としては、例えば、フェノール樹脂、キシレン樹脂、尿素樹脂、メラミン樹脂、ケトン樹脂、アルキッド樹脂、ポリアミド樹脂、アクリル樹脂、ポリ塩化ビニル樹脂、塩化ビニル−酢酸ビニル共重合樹脂、ポリ酢酸ビニル樹脂、ポリビニルアルコール樹脂、ポリビニルブチラール樹脂、ポリスチレン樹脂、エポキシ樹脂、又はポリウレタン樹脂を使用することができる。スクラッチ保護層は、例えば、上記樹脂の溶液を塗布し、塗膜を乾燥させることにより得られる。
【００５０】
光学機能層１３は、スクラッチ層１８上に設けられている。光学機能層１３は、第１波長の光を透過させる。第１波長の光に対する光学機能層１３の透過率は、例えば３０％以上であり、典型的には３０乃至６０％の範囲内にある。
【００５１】
光学機能層１３は、典型的には着色している。光学機能層１３が着色している場合、特に、光学機能層１３が黒色に着色している場合、肉眼による観察で光学機能層１３の背後の構造を知覚することは不可能となるか又は困難となる。また、光学機能層１３が光吸収パターン１４と同色である場合、光吸収パターン１４の存在を気付かれ難くすることができる。ここでは、一例として、光学機能層１３は黒色を呈していることとする。
【００５２】
第１波長が近赤外領域内にある場合、光学機能層１３として、第１波長における透過率が３０％以上であり、前記光学機能層は、近赤外領域の７００乃至８００ｎｍの波長域と、近赤外領域の８００乃至１５００％の波長域でいずれかの波長の透過率差が１０％以上であるものを使用してもよい。即ち、光学機能層１３は、近赤外領域における透過スペクトルが、第１波長において高い透過率を示し、前記近赤外領域の７００乃至８００ｎｍの波長域と、近赤外領域の８００乃至１５００ｎｍの波長域でいずれかの波長の透過率差が１０％以下となる。ここでは、一例として、光学機能層１３は、このような光学特性を有していることとする。また、ここでは、第２波長も近赤外領域内にあり、第２波長における光学機能層１３の透過率は、第１波長における光学機能層１３の透過率と比較してより低いこと、例えば、第１波長における光学機能層１３の透過率の差が１０％以上であることとする。
【００５３】
上記の光学特性、即ち、近赤外領域内の光のうち、一部の波長域の光を選択的に透過させ、残りの光を吸収する光学特性を有している光学機能層１３は、例えば、所定の近赤外線吸収剤と樹脂とを含んでいる。この近赤外線吸収剤としては、例えば、フタロシアニン化合物、ナフタロシアニン化合物、アントラキノン化合物、ジイモニウム化合物、及びシアニン化合物からなる群より選択される少なくとも１つを使用することができる。また、樹脂としては、例えば、プロセスインキにおいて一般に使用されているものを使用することができる。
【００５４】
光学機能層１３は、例えば、印刷法により形成する。この印刷法としては、例えば、オフセット印刷法、グラビア印刷法、スクリーン印刷法、及びフレキソ印刷法が挙げられる。光学機能層１３の厚さは、例えば０．５乃至１０μｍの範囲内とし、典型的には１乃至５μｍの範囲内とする。
【００５５】
光吸収パターン１４は、光学機能層１３上に設けられている。光吸収パターン１４は、光学機能層１３を間に挟んでスクラッチ層１８の一部と向き合っている。図１及び図２に示す例では、光吸収パターン１４は、一次元コードを構成している。光吸収パターン１４は、二次元コードを構成していてもよい。或いは、光吸収パターン１４は、文字、記号、模様及び図形などの他のパターンを構成していてもよい。
【００５６】
光吸収パターン１４は、第１波長の光を吸収する。具体的には、光吸収パターン１４の第１波長における吸収率は、スクラッチ層１８の第１波長における吸収率及び光学機能層１３の第１波長における吸収率と比較してより大きい。第１波長の光に対する光吸収パターン１４の吸収率は、例えば７０％以上であり、典型的には８０％以上である。
【００５７】
第１波長が近赤外領域内にある場合、光吸収パターン１４は、例えば、近赤外線吸収剤と樹脂とを含有している。この樹脂としては、例えば、プロセスインキにおいて一般に使用されているものを使用することができる。
【００５８】
ここで使用する近赤外線吸収剤は、典型的には、光学機能層１３において使用する近赤外線吸収剤とは、近赤外線領域の吸収スペクトルが異なっている。例えば、ここで使用する近赤外線吸収剤は、光学機能層１３において使用する近赤外線吸収剤と比較して、第１波長の光に対する吸収率がより大きい。この近赤外線吸収剤としては、例えば、プロセス墨インキに用いられているカーボンブラックを使用することができる。或いは、この近赤外線吸収剤として、光学機能層１３の近赤外線吸収剤として例示した化合物を使用してもよい。
【００５９】
光吸収パターン１４は、光学機能層１３と同色にするか、又は、第１波長の光に対して十分な吸収率を示す限り、薄い色にすることが好ましい。こうすると、ラベル１を肉眼で観察した場合に、光吸収パターン１４の存在が分かり難くなる。
【００６０】
光吸収パターン１４は、スクラッチ層１８に対応した領域のほぼ全体に亘って分布していることが望ましい。こうすると、光学機能層１３の分光特性の解析を困難とすることができる。
【００６１】
光吸収パターン１４は、例えば、印刷法により形成する。この印刷法としては、例えば、オフセット印刷法、グラビア印刷法、スクリーン印刷法、及びフレキソ印刷法が挙げられる。或いは、光吸収パターン１４は、熱転写リボン、インクジェット印字、又はレーザー印字を用いて形成してもよい。光吸収パターン１４の厚さは、例えば０．５乃至５μｍの範囲内とし、典型的には０．５乃至２μｍの範囲内とする。
【００６２】
次に、このラベル１を利用した真偽判定方法について説明する。  
まず、このラベル１を偽造防止ラベルとして使用した場合に真偽判定に利用可能な画像表示システムについて説明する。
【００６３】
図３は、真偽判定に利用可能な画像表示システムの一例を概略的に示す図である。  
図３に示すシステムは、２つの光源３１と、撮像装置３２と、画像表示装置３６と、光学フィルタ３８とを含んでいる。
【００６４】
光源３１は、例えば、赤外線ＬＥＤ（light-emitting diode）である。光源３１は、図示しない載置台上に前面が上向きになるように載置されたラベル１に対して斜め上方に設置されている。光源３１の一方は省略してもよい。また、３つ以上の光源３１を設けてもよい。複数の光源３１を設ける場合、それら光源３１が放射する光のスペクトルは、同一であってもよく、異なっていてもよい。後者の場合、例えば、第１波長の光を放射する光源３１と、第２波長の光を放射する光源３１とを配置し、それらを交互に点灯可能な構成を採用してもよい。
【００６５】
撮像装置３２は、例えば、ＣＣＤ（charge-coupled device）カメラである。撮像装置３２は、ラベル１の前面と正対するように設置されている。
【００６６】
画像表示装置３６は、撮像装置３２に接続されている。画像表示装置３６は、撮像装置３２が撮影した画像を表示する。
【００６７】
光学フィルタ３８は、第１及び第２波長の光を透過させ、他の波長の少なくとも一部を吸収する。例えば、光学フィルタ３８は、可視光を吸収し、赤外光の少なくとも一部を透過させる可視光カットフィルタである。光学フィルタ３８は、ラベル１と撮像装置３２との間に設置されている。
【００６８】
図４は、図１及び図２に示すラベルに記録された情報を、図３に示す画像表示システムによって可視化してなる画像の一例を概略的に示す図である。
【００６９】
製造直後のラベル１の前面を肉眼で観察した場合、例えば、その全体が黒色に見える。これに対し、図３に示すシステムを用いて、製造直後のラベル１を、光源３１が放射する第１波長の光で照明しながら撮像装置３２で撮影すると、画像表示装置３６は、光吸収パターン１４に対応した領域が黒く、ラベル１の他の部分に対応した領域が白い画像Ｉ１を表示する。即ち、この場合、潜像を可視化すること、例えばＰＣＳ（print contrast signal）値が０．７５以上の可視像を表示することができる。
【００７０】
なお、第１波長の光を放射する光源３１を消灯し、第２波長の光を放射する光源３１を点灯すると、画像表示装置３６は、例えば、全体が黒い画像を表示するか、又は、画像Ｉ１をより低いコントラスト比で、例えば０．７５未満のＰＣＳ値で表示する。
【００７１】
次に、ラベル１の無効化処理について説明する。  
図５は、図１及び図２に示すラベルの無効化処理法の一例を概略的に示す図である。図６は、図５に示す方法によって無効化したラベルの一例を概略的に示す平面図である。なお、図５において、参照符号Ｌは、剥離層１８ｂと光学機能層１３と光吸収パターン１４との積層体を表している。また、図５では、基材保護層１８ａを省略している。
【００７２】
図５に示す無効化処理法では、ラベル１の前面を、鉤状具６１で紙面の右方向に引掻く。こうすると、スクラッチ層１８よりも前方に位置した部分が、紙面の左右方向に沿って裂けながら、スクラッチ層１８の一部を伴って基材１１から剥離する。ここでは、剥離層１８ｂと光学機能層１３と光吸収パターン１４との積層体Ｌが、紙面の左右方向に沿って裂けながら、剥離層１８ｂの一部を伴って基材１１から剥離する。その結果、図６に示す構造が得られる。
【００７３】
図６に示すラベル１と図１に示すラベル１とは、典型的には、肉眼による観察で容易に互いから区別することができる。また、それらラベル１は、機械読取を利用して互いから区別することもできる。
【００７４】
図７は、図５に示す方法によって無効化したラベルに記録された情報を、図３に示す画像表示システムによって可視化してなる画像の一例を概略的に示す図である。
【００７５】
ラベル１のうち積層体Ｌが剥離した部分では、基材保護層１８ａが剥き出しになっている。それ故、この部分の第１波長における反射率は、典型的には、他の部分の第１波長における反射率とは異なっている。従って、図３に示すシステムを用いて、無効化処理後のラベル１を、光源３１が放射する第１波長の光で照明しながら撮像装置３２で撮影すると、画像表示装置３６は、光吸収パターン１４に対応した第１領域が黒く、光学機能層１３のうち光吸収パターン１４と向き合っていない部分に対応した第２領域が白く、基材保護層１８ａが剥き出しになっている部分に対応した第３領域が例えば灰色の画像Ｉ２を表示する。即ち、この場合、画像表示装置３６は、図４の画像Ｉ１とは異なる画像Ｉ２を表示する。
【００７６】
画像Ｉ２において、第１領域と第３領域とは、明るさが異なっていてもよく、同一であってもよい。例えば、剥離層１８ｂの第１波長における反射率が十分に高く、基材保護層１８ａが第１波長の光に対して透明であり、基材１１の第１波長における吸収率が十分に高ければ、画像Ｉ２において、第１及び第３領域の明るさはほぼ等しくなる。
【００７７】
また、画像Ｉ２において、第２領域と第３領域とは、明るさが異なっていてもよく、同一であってもよい。例えば、剥離層１８ｂの第１波長における反射率が十分に高く、基材保護層１８ａが第１波長の光に対して透明であり、基材１１の第１波長における反射率が十分に高ければ、画像Ｉ２において、第２及び第３領域の明るさはほぼ等しくなる。
【００７８】
上述したラベル１には、様々な変形が可能である。  
図８は、図１及び図２に示すラベルの一変形例を概略的に示す断面図である。  
図８に示すラベル１は、光吸収パターン１４がスクラッチ層１８と光学機能層１３との間に介在していること以外は、図１及び図２を参照しながら説明したラベル１と同様である。
【００７９】
図１及び図２に示すラベル１では、光吸収パターン１４は、光学機能層１３上に設けられている。それ故、例えば、光学機能層１３及び光吸収パターン１４の色及び光沢などの相違に起因して、光吸収パターン１４の存在を悟られる可能性がある。
【００８０】
これに対し、図８のラベル１では、光吸収パターン１４は、光学機能層１３とスクラッチ層１８との間に介在している。それ故、光学機能層１３の可視光線透過率が低くすることにより、光吸収パターン１４を隠蔽することができる。その結果、このラベル１を利用して真偽判定を行っていることは、不正行為を行う者に悟られ難くなる。
【００８１】
次に、上述したラベル１を含んだ粘着ラベル及び印刷物を説明する。
【００８２】
図９は、粘着ラベルの一例を概略的に示す断面図である。  
図９に示す粘着ラベル１０は、図１及び図２を参照しながら説明したラベル１と、粘着層２とを含んでいる。粘着層２は、ラベル１の背面上に設けられている。
【００８３】
この粘着ラベル１０は、例えば、真正品であることを確認可能であることが望まれる物品に貼り付ける。なお、粘着ラベル１０は、粘着層２の表面を剥離可能に被覆した剥離紙を更に含んでいてもよい。
【００８４】
図１０は、印刷物の一例を概略的に示す断面図である。  
図１０に示す印刷物１００は、図１及び図２を参照しながら説明したラベル１と、粘着層２と、印刷物本体３とを含んでいる。ラベル１は、粘着層２を介して印刷物本体３に貼り付けられている。
【００８５】
印刷物本体３は、印刷基材３ａと印刷層３ｂとを含んでいる。
【００８６】
印刷基材３ａは、例えば、紙、プラスチック、木材、ガラス又は樹脂からなる。印刷基材３ａは、単層構造を有していてもよく、多層構造を有していてもよい。印刷基材３ａは、層形状を有していてもよく、他の形状を有していてもよい。
【００８７】
印刷層３ｂは、印刷基材３ａ上に設けられている。印刷層３ｂは、印刷基材３ａの全体を被覆していてもよく、一部のみを被覆していてもよい。
【００８８】
この印刷物１００について、その使用期間終了後に上記の無効化処理を行うこととする。こうすると、真正品であるかが未知の印刷物について、例えば図３を参照しながら説明した画像表示システムを利用することにより、ラベル１が再使用されたものであるか否かを判別することができる。即ち、真正品であるかが未知の印刷物の真偽判定が可能である。従って、不正行為を行う者を牽制することができ、それ故、物品に貼り付けられたラベルが、その物品の使用期間を終了した後に再使用されるのを抑制することができる。その結果、印刷物１００の偽造を抑制することができる。
【実施例】
【００８９】
以下に、本発明の例を記載する。
【００９０】
＜例１＞
図１及び図２を参照しながら説明したラベル１を、以下の方法により製造した。
【００９１】
まず、基材１１として白色系のタックコート紙を準備した。次いで、この基材１１の一方のうち、寸法が６０ｍｍ×３０ｍｍの矩形状の領域に、スクリーン印刷法により、透明ニスとして、以下に組成を示すインキＤを、乾燥膜厚が３μｍになるように塗布した。この塗膜を乾燥させることにより、基材保護層１８ａを得た。
【００９２】
次に、基材保護層１８ａ上に、スクリーン印刷法により、銀インキとして、銀粉末と樹脂との混合物を、乾燥膜厚が１０μｍになるように塗布した。この塗膜を乾燥させることにより、剥離層１８ｂを得た。
【００９３】
次いで、基材１１の基材保護層１８ａ及び剥離層１８ｂを形成した面の全体に、オフセット印刷法により、以下に組成を示すインキＢを乾燥膜厚が１μｍになるよう印刷した。更に、この塗膜に紫外線を照射して、光学機能層１３を得た。
【００９４】
その後、光学機能層１３上に、プロセス墨インキを乾燥膜厚が１μｍになるように印刷して、二次元コードパターンとしての光吸収パターン１４を形成した。プロセス墨インキとしては、東洋インキ製造社製のＦＤ カルトンＡＣＥ スミ ロを使用した。  
以上のようにして、ラベル１を完成した。
【００９５】
［インキＢの組成］
有機系青色顔料（御国色素社製）                                      ５質量部
有機系赤色顔料（御国色素社製）                                      ７質量部
有機系黄色顔料（御国色素社製）                                      ８質量部
ＵＶ硬化型オフセットインキメジウム（ＦＤ  カルトンＡＣＥ  メジウム  ロ：東洋インキ製造社製）                                                      ８０質量部
［インキＤの組成］
アクリルポリオール（メチルテマクリレートと２−ヒドロキシエチルメタクリレートとの共重合体）                                                        ２５重量部
ニトロセルロース                                                    ５重量部
キシレンジイソシアネート                                            ５重量部
トルエン                                                          ３５重量部
メチルエチルケトン                                                ３０重量部
このラベル１の前面を肉眼で観察したところ、全体が黒色に見えた。
【００９６】
また、図３に示すシステムを用いて、このラベル１を、光源３１が放射する第１波長の光、ここでは波長が８００ｎｍの光で照明しながら撮像装置３２で撮影したところ、画像表示装置３６は、黒色の二次元コードパターンと白色の背景とからなる画像を表示した。即ち、ラベルは、機械読み取りが可能な画像を表示した。
【００９７】
次に、このラベル１に対して無効化処理を行った。具体的には、このラベル１の前面を硬貨で擦った。このラベル１の前面を肉眼で観察したところ、硬貨で擦った部分は白く見え、他の部分は黒く見えた。
【００９８】
次いで、図３に示すシステムを用いて、このラベル１を、光源３１が放射する第１波長の光で照明しながら撮像装置３２で撮影したところ、画像表示装置３６が表示した画像は、硬貨で擦った部分に対応した領域の色が、無効化処理前のラベル１について画像表示装置３６が表示した画像とは異なっていた。即ち、二次元コードパターンを正確に読み取ることが不可能となった。
【００９９】
＜例２＞
図１及び図２を参照しながら説明したラベル１を、以下の方法により製造した。
【０１００】
まず、基材１１として白色系のコート紙を準備した。次いで、この基材１１の一方のうち、寸法が６０ｍｍ×３０ｍｍの矩形状の領域に、スクリーン印刷法により、透明ニスとして、上記のインキＤを、乾燥膜厚が３μｍになるように塗布した。この塗膜を乾燥させることにより、基材保護層１８ａを得た。
【０１０１】
次に、基材保護層１８ａ上に、スクリーン印刷法により、銀インキとして、銀粉末と樹脂との混合物を、乾燥膜厚が１０μｍになるように塗布した。この塗膜を乾燥させることにより、剥離層１８ｂを得た。
【０１０２】
次いで、基材１１の基材保護層１８ａ及び剥離層１８ｂを形成した面の全体に、オフセット印刷法により、以下に組成を示すインキＣを乾燥膜厚が１μｍになるよう印刷した。更に、この塗膜に紫外線を照射して、光学機能層１３を得た。
【０１０３】
その後、光学機能層１３上に、プロセス墨インキを乾燥膜厚が１μｍになるように印刷して、二次元コードパターンとしての光吸収パターン１４を形成した。プロセス墨インキとしては、東洋インキ製造社製のＦＤ カルトンＡＣＥ スミ ロを使用した。  
以上のようにして、ラベル１を完成した。
【０１０４】
［インキＣの組成］
有機系青色顔料（御国色素社製）                                      ５質量部
有機系赤色顔料（御国色素社製）                                      ７質量部
有機系黄色顔料（御国色素社製）                                      ８質量部
赤外線吸収剤（ＹＫＲ−３０８１：山本化成社製）                      ５質量部
ＵＶ硬化型オフセットインキ用メジウム（ＦＤ  カルトンＡＣＥ  メジウム  ロ：東洋インキ製造社製）                                                    ７５質量部
このラベル１の前面を肉眼で観察したところ、全体が黒色に見えた。
【０１０５】
また、図３に示すシステムを用いて、このラベル１を、光源３１が放射する第１波長の光、ここでは波長が８００ｎｍの光で照明しながら撮像装置３２で撮影したところ、画像表示装置３６は、黒色の二次元コードパターンと白色の背景とからなる画像を表示した。即ち、ラベルは、機械読み取りが可能な画像を表示した。
【０１０６】
但し、図３に示すシステムを用いて、このラベル１を、光源３１が放射する第２波長の光、ここでは波長が９４０ｎｍの光で照明しながら撮像装置３２で撮影したところ、画像表示装置３６は、黒色の二次元コードパターンと灰色の背景とからなる画像を表示した。即ち、波長が８００ｎｍの光で照明した場合と比較してコントラスト比が低下し、二次元コードパターンの機械読み取りが不可能となった。
【０１０７】
次に、このラベル１に対して無効化処理を行った。具体的には、このラベル１の前面を硬貨で擦った。このラベル１の前面を肉眼で観察したところ、硬貨で擦った部分は白く見え、他の部分は黒く見えた。
【０１０８】
次いで、図３に示すシステムを用いて、このラベル１を、光源３１が放射する第１波長の光、ここでは波長が８００ｎｍの光で照明しながら撮像装置３２で撮影したところ、画像表示装置３６が表示した画像は、硬貨で擦った部分に対応した領域の色が、無効化処理前のラベル１について画像表示装置３６が表示した画像とは異なっていた。即ち、二次元コードパターンを正確に読み取ることが不可能となった。
【符号の説明】
【０１０９】
１…ラベル、２…粘着層、３…印刷物本体、３ａ…印刷基材、３ｂ…印刷層、１０…粘着ラベル、１１…基材、１３…光学機能層、１４…光吸収パターン、１８…スクラッチ層、１８ａ…基材保護層、１８ｂ…剥離層、３１…光源、３２…撮像装置、３６…画像表示装置、３８…光学フィルタ、６１…鉤状具、１００…印刷物、Ｌ…積層体。
【図１】
0005825959.tif 000002
【図２】
0005825959.tif 000003
【図３】
0005825959.tif 000004
【図４】
0005825959.tif 000005
【図５】
0005825959.tif 000006
【図６】
0005825959.tif 000007
【図７】
0005825959.tif 000008
【図８】
0005825959.tif 000009
【図９】
0005825959.tif 000010
【図１０】
0005825959.tif 000011